(57)【要約】【課題】インダクティブ出力管などの電子管は、入力空胴に電子銃を含んだ構造のため製造ばらつきによる入力空胴の特性ばらつきが大きい。また、動作中はカソードが高温となることから、入力空胴を構成している金属の変形及び導電率の変化、グリッドの熱変形等により、入力空胴の特性（共振周波数及びＱ値）が変化する。【解決手段】カソード１及びグリッド４からなる電子銃を含んだ入力空胴５と、同軸構造の高周波線路７を介して入力空胴の内部に高周波信号を供給するループアンテナ９とを備え、高周波信号を投入する高周波線路７を入力空胴５に対して回転機構１０を用いて接合することによって、高周波線路と入力空胴の結合度を可変させることが可能となり、入力空胴のＱ（Quality Factor）値（外部Ｑ値Ｑｅｘｔ及び負荷時Ｑ値ＱＬ）を調整することが可能となる。【選択図】図１
2012238567.tif 000002
【特許請求の範囲】
【請求項１】
電子を放出するカソードと、このカソードの前面に対向して配置されたグリッドと、前記カソードとグリッドをその一部とする入力空胴と、高周波線路を介して前記入力空胴の内部に高周波信号を供給するループアンテナと、前記入力空胴を大気と真空とに分離しかつ前記高周波信号を通過させる絶縁物と、前記カソードから放出された電子ビームを加速するアノードと、このアノードで加速された電子ビームを高周波電磁波の出力に変換する出力空胴と、この出力空胴に配置され、前記高周波電磁波を外部に取り出す出力窓と、前記高周波電磁波に変換し終えた電子ビームを捕捉するコレクタとを備え、前記ループアンテナが前記入力空胴に対して回転可能に構成されてなる電子管。
【請求項２】
ループアンテナは同軸構造の高周波線路に接続され、前記ループアンテナの接続された高周波線路と入力空胴を構成する筐体とをネジ構造の回転機構で接合することにより、前記ループアンテナが前記入力空胴に対して回転可能に構成したことを特徴とする請求項１に記載の電子管。
【請求項３】
ループアンテナは同軸構造の高周波線路に接続され、前記ループアンテナの接続された高周波線路と入力空胴を構成する筐体とをベアリング構造の回転機構で接合することにより、前記ループアンテナが前記入力空胴に対して回転可能に構成したことを特徴とする請求項１に記載の電子管。
【請求項４】
ループアンテナは同軸構造の高周波線路に接続され、前記ループアンテナの接続された高周波線路と入力空胴を構成する筐体とをＯリング構造の回転機構で接合することにより、前記ループアンテナが前記入力空胴に対して回転可能に構成したことを特徴とする請求項１に記載の電子管。
【請求項５】
高周波線路と入力空胴を構成する筐体とをピンまたはネジで固定することにより、ループアンテナの入力空胴に対する回転を止めるようにした請求項２〜４項のいずれか１項に記載の電子管。
【請求項６】
電子を放出するカソードと、このカソードの前面に対向して配置されたグリッドと、前記カソードとグリッドをその一部とする入力空胴と、高周波線路を介して前記入力空胴の内部に高周波信号を供給するループアンテナと、前記入力空胴を大気と真空とに分離しかつ前記高周波信号を通過させる絶縁物と、前記カソードから放出された電子ビームを加速するアノードと、このアノードで加速された電子ビームを高周波電磁波の出力に変換する出力空胴と、この出力空胴に配置され、前記高周波電磁波を外部に取り出す出力窓と、前記高周波電磁波に変換し終えた電子ビームを捕捉するコレクタとを備え、前記ループアンテナは前記入力空胴の内部に突出する部分の大きさが変化するよう移動可能に構成されてなる電子管。
【請求項７】
ループアンテナは同軸構造の高周波線路に接続され、前記ループアンテナの接続された高周波線路を入力空胴を構成する筐体に対して垂直方向に移動可能にして、前記ループアンテナの前記入力空胴の内部に突出する部分の大きさを変化させるようにしたことを特徴とする請求項６に記載の電子管。
【請求項８】
高周波線路をプレートに固定すると共に、前記プレートと入力空胴を構成する筐体との間を伸縮自在のベローズで接続し、前記プレートに接続された前記高周波線路を前記筐体に対して垂直方向に移動可能にしたことを特徴とする請求項７に記載の電子管。
【請求項９】
高周波線路をプレートに固定すると共に、前記高周波線路は入力空胴を構成する筐体に設けた穴に摺動可能にし、前記プレートに接続された前記高周波線路を前記筐体に対して垂直方向に移動可能にしたことを特徴とする請求項７に記載の電子管。
【請求項１０】
入力空胴を構成する筐体に設けた穴と高周波線路との間に電磁波遮蔽材を設けたことを特徴とする請求項９に記載の電子管。
【発明の詳細な説明】
【技術分野】
【０００１】
この発明は、マイクロ波を増幅する作用を持つ電子管に関するもので、特に電子管の中でもインダクティブ出力管（Inductive Output Tube）に関するものである。
【背景技術】
【０００２】
インダクティブ出力管はその動作を達成するために、入力空胴と電子銃が一体となった構造であり、カソードとグリッドの間の隙間で入力空胴のギャップを構成している。また入力空胴は入力コネクタに接続されたカップリングループに結合されて高周波信号を入力するようにしている。入力空胴の特性において共振周波数は、例えば特許文献１（特許第２８５７５８３号公報）に記載のように入力空胴内に設けられた金属製プレートの位置を可変することによって、調整することができる。
【０００３】
しかし、上記のような構造においては、入力空胴のＱ（Quality Factor）値（外部Ｑ値Ｑｅｘｔ及び負荷時Ｑ値ＱＬ）は調整することが困難である。ここで、外部Ｑ値Ｑｅｘｔは空胴と結合している外部回路に漏れる電力（Ｐｅｘｔ）によるＱ値であり、負荷時Ｑ値ＱＬは空胴で損失する電力（ＰＯ）と外部回路に漏れる電力（Ｐｅｘｔ）によるＱ値で、１／ＱL＝１／ＱＯ＋１／Ｑｅｘｔ（ＰL ＝ＰＯ＋Ｐｅｘｔ）で表される。
ここで、ＱＯは空胴で損失する電力によるＱ値である。また、空胴と外部回路の結合係数βは  β＝Ｐｅｘｔ／ＰＯ＝ＱＯ ／Ｑｅｘｔで表される。
【先行技術文献】
【特許文献】
【０００４】
【特許文献１】特許第２８５７５８３号公報
【発明の概要】
【発明が解決しようとする課題】
【０００５】
インダクティブ出力管の入力空胴はクライストロンなどとは異なり、入力空胴内にカソード及びグリッドが含まれた構造となっており、製造ばらつきによる入力空胴の特性ばらつきが大きくなってしまう。
また、動作中はカソードが１０００℃程度の高温となることから、入力空胴を構成している金属の変形及び導電率の変化、グリッドの熱変形等により、入力空胴の特性（共振周波数及びＱ値）が変化する。
【０００６】
この発明は、上記のような問題点を解決するためになされたものであり、特に入力空胴のＱ値の変化を調整することができる電子管を提供することを目的とするものである。
【課題を解決するための手段】
【０００７】
この発明の電子管は、電子を放出するカソードと、このカソードの前面に対向して配置されたグリッドと、カソードとグリッドをその一部とする入力空胴と、高周波線路を介して入力空胴の内部に高周波信号を供給するループアンテナと、入力空胴を大気と真空とに分離しかつ高周波信号を通過させる絶縁物と、カソードから放出された電子ビームを加速するアノードと、このアノードで加速された電子ビームを高周波電磁波の出力に変換する出力空胴と、この出力空胴に配置され、高周波電磁波を外部に取り出す出力窓と、高周波電磁波に変換し終えた電子ビームを捕捉するコレクタとを備え、ループアンテナが入力空胴に対して回転可能に構成されてなるものである。
【０００８】
また、この発明の電子管は、電子を放出するカソードと、このカソードの前面に対向して配置されたグリッドと、カソードとグリッドをその一部とする入力空胴と、高周波線路を介して入力空胴の内部に高周波信号を供給するループアンテナと、入力空胴を大気と真空とに分離しかつ高周波信号を通過させる絶縁物と、カソードから放出された電子ビームを加速するアノードと、このアノードで加速された電子ビームを高周波電磁波の出力に変換する出力空胴と、この出力空胴に配置され、高周波電磁波を外部に取り出す出力窓と、高周波電磁波に変換し終えた電子ビームを捕捉するコレクタとを備え、ループアンテナは入力空胴の内部に突出する部分の大きさが変化するよう移動可能に構成されてなるものである。
【発明の効果】
【０００９】
この発明は、入力空胴に高周波信号を投入する高周波線路に接続されたループアンテナを入力空胴に対して回転可能に構成することによって、入力空胴の共振モード時の磁場分布に対するループアンテナの傾きを変えることができる。この傾きを変えることによって、高周波線路と入力空胴との結合係数（β）を調整することができ、よってＱ値（外部Ｑ値Ｑｅｘｔ及び負荷時Ｑ値ＱＬ）の調整が可能となる。
【００１０】
また、この発明は、入力空胴に高周波信号を投入する高周波線路に接続されたループアンテナを、入力空胴の内部に突出する部分の大きさが変化するよう移動可能に構成することによって、入力空胴と高周波線路の結合度を変えることができる。この結合度を変えることによって、高周波線路と入力空胴との結合係数（β）を調整することができ、よってＱ値（外部Ｑ値Ｑｅｘｔ及び負荷時Ｑ値ＱＬ）の調整が可能となる。
【図面の簡単な説明】
【００１１】
【図１】この発明の実施の形態１である電子管の概略構造を示す断面図である。
【図２】この発明の実施の形態１に使用されるループアンテナの回転機構を示す断面図である。
【図３】この発明の実施の形態１の入力空胴における磁界分布の説明図である。
【図４】この発明の実施の形態１のループアンテナの回転時における動作説明図である。
【図５】この発明の実施の形態２のループアンテナの回転機構を示す断面図である。
【図６】この発明の実施の形態３のループアンテナの回転機構を示す断面図である。
【図７】この発明の実施の形態４のループアンテナの回転機構を示す断面図である。
【図８】この発明の実施の形態５のループアンテナの挿出機構を示す断面図である。
【図９】この発明の実施の形態６のループアンテナの挿出機構を示す断面図である。
【発明を実施するための形態】
【００１２】
実施の形態１．
以下、この発明の実施の形態１における電子管のうち、インダクティブ出力管について図１〜図４により説明する。
図１はインダクティブ出力管の概略構造を示す断面図、図２、図３、図４はこの発明の実施の形態１の特徴部分であるループアンテナの回転機構を示す断面図および説明図である。
【００１３】
先ず図１において、インダクティブ出力管は全体構造がほぼ円筒状の電子管になっていて、その一端には電子を放出するカソード１、カソード１を加熱するためのヒータ２、ヒータ２に電力を供給するヒータ電源３が配置されている。カソード１に対して所定の隙間を介してグリッド４が対向配置され、このグリッド４は投入された高周波信号によってカソード１から電子を引出す為の電界を形成する。こうしてカソード１からグリッド４の構成部品によって電子管の電子銃部を構成している。
【００１４】
カソード１とグリッド４の外周部には、そのカソード１とグリッド４を一部構成とする入力空洞５が形成され、カソード１とグリッド４の間の隙間で入力空洞５のギャップを構成している。入力空洞５には大気と真空とに分離する例えばアルミナセラミックスなどの絶縁物６が設けられ、この絶縁物６によって入力空洞５は大気側の第１の入力空洞５ａと真空側の第２の入力空洞５ｂとに分離されるようになっている。
【００１５】
大気側の第１の入力空洞５ａを構成する筺体には同軸構造の高周波線路７が接合され、この高周波線路７の一端には高周波信号を供給する高周波信号源８が接続される。また、高周波線路７の他端には高周波線路７を介して第１の入力空胴５ａの内部へ高周波信号を供給するループアンテナ９が接続される。
高周波線路７を介して第１の入力空胴５ａに供給された高周波信号は絶縁物６を透過して真空側の第２の入力空洞５ｂへ供給される。
【００１６】
第１の入力空洞５ａを構成する筺体と同軸構造の高周波線路７との接合個所には、ループアンテナ９を入力空洞５に対して回転させる為の回転機構１０が形成されている。この回転機構１０については図２〜図４で詳しく説明する。
カソード１とグリッド４とからなる電子銃部と電子管のボディ部との間には絶縁を施すための絶縁部１１が設けられ、電子管のボディ部側にはカソード１から放出された電子ビームを加速するためのアノード１２が設けられている。またカソード１とアノード１２間にはカソード１から放出された電子ビームを加速するための電圧を供給する高電圧電源１３が接続される。
【００１７】
電子管のボディ部の他端側には、アノード１２で加速された電子ビームのエネルギーから高周波電磁波のエネルギーに変換する出力空胴１４が設けられている。この出力空胴１４の一部には、出力高周波電磁波を透過し、電子管内部を真空に保つための出力窓１５が配置され、この出力窓１５から高周波電磁波を外部に取り出すようにしている。さらに、出力空胴１４で高周波電磁波にエネルギーを与え終えた後の電子ビームを捕捉するため、電子管のボディ部の他端にはコレクタ１６が設けられている。
【００１８】
図２はループアンテナ９を入力空洞５に対して回転させる為の回転機構１０の断面図を示し、入力空洞５（５ａ、５ｂ）は中心線を中心とした円筒の断面を有しており、図にはその上半分が示されている。
図２において、ループアンテナ９は同軸構造の高周波線路７の内部導体７ａと外部導体７ｂに接続され、ループアンテナ９が接続された高周波線路７と入力空胴５を構成する筐体とをネジ構造で接合することにより回転機構１０を構成している。高周波線路７を入力空胴５を構成する筐体に対して回転機構１０のネジを回すことにより、ループアンテナ９が入力空胴５に対して回転可能に構成されている。
そして、ループアンテナ９を回転することにより入力空胴５のＱ値を調整し、最適な結合になった後は、高周波線路７と入力空胴５を構成する筐体とをピンまたはネジ２０で固定することにより、ループアンテナ９の入力空胴５に対する回転を止めるようにする。
【００１９】
次に図１に示すインダクティブ出力管の動作を説明する。カソード１はヒータ電源３から供給される電力により加熱されたヒータ２よって加熱され、熱電子を放出できる状態になっている。高周波信号源８から供給される高周波信号は高周波線路７、ループアンテナ９を介して第１の入力空胴５ａに入力されるが、この高周波信号の周波数と第１の入力空胴５ａ、第２の入力空胴５ｂ、カソード１及びグリッド４で形成される入力空胴の共振周波数が一致しており、入力空胴５はその共振周波数で共振し、カソード１とグリッド４との隙間に高周波電界を形成する。
【００２０】
カソード１とグリッド４との隙間に高周波電界が形成されると、カソード１表面に熱電子を引き出す方向に電界が印加されたときだけ電子が放出されるため、電子ビームは塊となってカソード１から放出され、さらにアノード１２によって加速され、出力空胴１４に到達する。出力空胴１４では電子ビームから出力空胴１４の共振周波数の高周波電磁波のエネルギーを引き出し、出力窓１５を透過して外部へ出力される。出力空胴１４でエネルギーを失った電子ビームはコレクタ１６で捕捉される。
【００２１】
次に図３および図４を用いてループアンテナ９の動作内容を説明する。図３はループアンテナ９による高周波磁界と入力空胴５による高周波磁界の関係を示し、図４（ａ）（ｂ）（ｃ）はループアンテナ９の回転時における動作説明図で、それぞれの図は断面図と底面図を示す。
図３に示すように、高周波信号源８からの高周波信号は高周波線路７を通り、ループアンテナ９に供給される。ループアンテナ９に高周波信号が供給されると、その高周波信号によってループアンテナ９周囲に磁界が発生し、ループアンテナ９の中心には図３の紙面に垂直方向に高周波磁界２４が発生する。また、入力空胴５は共振時において、図３に示すようなＡ−Ａ’軸を中心とする環状の高周波磁界２５が発生する。
【００２２】
高周波信号源８から供給される高周波信号の周波数と入力空胴５の共振周波数が一致している時に、ループアンテナ９の中心に発生する高周波磁界２４と入力空胴５の高周波磁界２５が結合することによって、入力空胴５へ高周波信号が供給され、入力空胴５が共振する。
この時、図４（ａ）に示されているように、入力空胴５の共振時の高周波磁界２５の向きと直交する（９０度）向きにループアンテナ９が配置されていると、ループアンテナ９が発生させる高周波磁界２４と入力空胴５の共振時の高周波磁界２５が同じ向きになり、ループアンテナ９と入力空胴５が最も結合する。
【００２３】
次に図４（ｂ）に示すように、ループアンテナ９を回転（図４（ａ）から４５度回転）させることによって、ループアンテナ９が発生させる高周波磁界２４と入力空胴５の共振時の高周波磁界２５の向きが異なり、ループアンテナ９と入力空胴５の結合を低下させることが可能となる。
また、図４（ｃ）に示すように、ループアンテナ９を入力空胴５の共振時の高周波磁界２５の向きと平行する（０度）向きにすると、ループアンテナ９が発生させる高周波磁界２４と入力空胴５の共振時の高周波磁界２５が直交する向きになり、ループアンテナ９と入力空胴５は結合しなくなる。
【００２４】
このようにループアンテナ９を９０度回転させることによって、入力空胴５と高周波線路７の結合度（結合係数β）を可変させることができ、結合度を可変させることによって、外部Ｑ値Ｑｅｘｔ及び負荷時Ｑ値ＱＬを調整することが可能となる。
ループアンテナ９を回転させるためには、高周波線路７と第１の入力空胴５ａの筺体との接合を溶接、ロウ付け等で固定することなく、ネジ構造などの回転機構１０により接合させておき、ループアンテナ９を回転させ最適な結合になった時にピン（又はネジ）２０で固定させる構造とすればよい。
【００２５】
実施の形態２．
次に、この発明の実施の形態２におけるインダクティブ出力管について図５により説明する。
図５はインダクティブ出力管のループアンテナ部分の概略構造を示す断面図と底面図を示したものである。実施の形態１の発明ではループアンテナ９の回転機構１０として、ネジ構造で高周波線路７と第１の入力空胴５ａの筐体を接合するようにしていたが、実施の形態２の発明は回転機構１０として、図５に示すようにネジ構造からベアリング構造に変え、このベアリング構造の回転機構１０ａにより高周波線路７と第１の入力空胴５ａの筐体を接合するようにしたものである。その他の構成は実施の形態１と同じであり、同じ符号を付して説明を省略する。
このような構成でも実施の形態１と同様に第１の入力空胴５ａと高周波線路７の結合度（結合係数β）を調整することが可能である。
【００２６】
実施の形態３．
次に、この発明の実施の形態３におけるインダクティブ出力管について図６により説明する。
図６はインダクティブ出力管のループアンテナ部分の概略構造を示す断面図と底面図を示したものである。ループアンテナ９の回転機構１０として、実施の形態１の発明ではネジ構造、実施の形態２の発明ではベアリング構造を使用したが、実施の形態３の発明はＯリング構造を用いたものである。
【００２７】
このＯリング構造の回転機構１０ｂにより、高周波線路７と第１の入力空胴５ａの筐体を接合するようにし、高周波線路７に接続されたループアンテナ９を第１の入力空胴５ａに対して回転させることにより、実施の形態１と同様に第１の入力空胴５ａと高周波線路７の結合度（結合係数β）を調整することが可能である。
この場合のＯリングは導電性のＯリングを用いることが好ましい。
【００２８】
実施の形態４．
次に、この発明の実施の形態４におけるインダクティブ出力管について図７により説明する。
図７はインダクティブ出力管のループアンテナ部分の概略構造を示す断面図を示したものである。実施の形態１〜３の発明では第１の入力空胴５ａの側面（図では上面）から高周波線路７と接合していたが、実施の形態４の発明は図７に示すように第１の入力空胴５ａの底面（図では左面）で高周波線路７と接合したものである。第１の入力空胴５ａの筺体と高周波線路７との接合は、図７ではネジ構造の回転機構１０を用いているが、実施の形態２のようなベアリング構造、あるいは実施の形態３のようなＯリング構造を用いても良い。
このような構成でも実施の形態１、２、３と同様に第１の入力空胴５ａと高周波線路７の結合度（結合係数β）を調整することが可能である。
【００２９】
実施の形態５．
次に、この発明の実施の形態５におけるインダクティブ出力管について図８により説明する。
図８はインダクティブ出力管のループアンテナ部分の概略構造を示す断面図を示したもので、実施の形態１〜４で説明したループアンテナの回転機構に代えて、ループアンテナは入力空洞に対して出し入れの移動ができる挿出機構にしたものである。この図８ではインダクティブ出力管の全体構造は省略されているが、ループアンテナ部分以外の構成は実施の形態１の図１と同様に構成されている。
【００３０】
即ち、電子を放出するカソード１と、このカソードの前面に対向して配置されたグリッド４と、カソード１とグリッド４をその一部とする入力空胴５（５ａ、５ｂ）と、高周波線路７を介して入力空胴５の内部に高周波信号を供給するループアンテナ９と、入力空胴を大気と真空とに分離しかつ高周波信号を通過させる絶縁物６と、カソードから放出された電子ビームを加速するアノード１２と、このアノード１２で加速された電子ビームを高周波電磁波の出力に変換する出力空胴１４と、この出力空胴１４に配置され、高周波電磁波を外部に取り出す出力窓１５と、高周波電磁波に変換し終えた電子ビームを捕捉するコレクタ１６とを備えている。
【００３１】
図８においては、ループアンテナ９は同軸構造の高周波線路７に接続され、高周波線路７の外周部は円形または多角形の平板状のプレート３１に溶接、ロー付けなどの方法で接合されて固定されている。プレート３１と入力空胴５を構成する筐体との間には、高周波線路７を囲むように伸縮自在のベローズ３２が、それぞれプレート３１および筐体に溶接、ロー付けなどの方法で接合されて設けられている。プレート３１はそれ自体に設けられた穴が入力空胴５を構成する筐体に直設されたネジ３３ａ、３３ｂに螺合することにより、支持されている。なお、ループアンテナ９が存在する空間は、大気圧の空間であるが、内部の電磁波が外部に漏洩することを防止するためにベローズ３２を用いている。
【００３２】
上記構成において、ネジ３３ａ、３３ｂを回すことにより、ループアンテナ９、高周波線路７、プレート３１が一体となって矢印３４で示すように入力空胴５を構成する筐体に対して垂直方向に移動する。すると、ループアンテナ９が第１の入力空胴５ａに突出する部分の大きさが変化するため、入力空胴５と高周波線路７の結合度を変化させることができ、その結果、外部Ｑ値Ｑｅｘｔ及び負荷時のＱ値ＱＬを調整することが可能になる。
【００３３】
実施の形態６．
次に、この発明の実施の形態６におけるインダクティブ出力管について図９により説明する。
図９はインダクティブ出力管のループアンテナ部分の概略構造を示す断面図を示したもので、実施の形態５と同様にループアンテナは入力空洞に対して出し入れの移動ができる挿出機構にしたものである。この図９ではインダクティブ出力管の全体構造は省略されているが、ループアンテナ部分以外の構成は実施の形態１の図１と同様に構成されているので、説明は省略する。
【００３４】
図９において、ループアンテナ９は同軸構造の高周波線路７に接続され、高周波線路７の外周部は円形または多角形の平板状のプレート３１に溶接、ロー付けなどの方法で接合されて固定されている。また、プレート３１はそれ自体に設けられた穴が入力空胴５を構成する筐体に直設されたネジ３３ａ、３３ｂに螺合することにより支持されている。このような構成は実施の形態５と同じである。
【００３５】
入力空胴５を構成する筐体には、筐体に突出するよう入力空胴５に通じた外囲器３５が設けられ、この外囲器３５に形成された穴に高周波線路７が摺動可能に配置されている。また入力空胴を構成する筐体に設けた外囲器３５の穴と高周波線路７との間には電磁波遮蔽材３６が挟まれるように設けられ、空洞内部の電磁波が外部に漏洩することを防いでいる。ループアンテナ９が存在する空間は大気圧であるため、上記のように構成することに何ら問題は無い。
【００３６】
このような構造にすることによっても、実施の形態５と同様、ネジ３３ａ、３３ｂを回すことにより、ループアンテナ９、高周波線路７、プレート３１が一体となって矢印３４に示すように入力空胴５を構成する筐体に対して垂直方向に移動する。すると、ループアンテナ９が第１の入力空胴５ａに突出する部分の大きさが変化するため、入力空胴５と高周波線路７の結合度を変化させることができ、その結果、外部Ｑ値Ｑｅｘｔ及び負荷時のＱ値ＱＬを調整することが可能になる。
【００３７】
なお実施の形態５および実施の形態６において、ループアンテナ９を矢印３４に示すように入力空胴５を構成する筐体に対して垂直方向に移動することにより、入力空胴５の内部に突出する部分の大きさを変化させて入力空胴５のＱ値を調整し、最適な結合になった後は、高周波線路７に接続されたプレート３１がネジ３３ａ、３３ｂに螺合されて支持されているため、実施の形態１〜４のように高周波線路７と入力空胴５を構成する筐体をピンまたはネジ２０で固定する必要はないが、もし必要であれば、高周波線路７が移動しないように何らかの固定具を設けてもよい。
【符号の説明】
【００３８】
１：カソード
２：ヒータ
３：ヒータ電源
４：グリッド
５：入力空胴      ５ａ：第１の入力空胴      ５ｂ：第２の入力空胴
６：入力空胴絶縁物
７：高周波線路
８：高周波信号源
９：ループアンテナ
１０、１０ａ、１０ｂ：ループアンテナの回転機構
１１：絶縁部
１２：アノード
１３：高電圧電源
１４：出力空胴
１５：出力窓
１６：コレクタ
２０：ピン（またはネジ）
２４：入力高周波によって発生する高周波磁界
２５：空胴の共振によって発生する高周波磁界
３１：プレート
３２：ベローズ
３３ａ、３３ｂ：ネジ
３５：外囲器
３６：電磁波遮蔽材。
【図１】
2012238567.tif 000003
【図２】
2012238567.tif 000004
【図３】
2012238567.tif 000005
【図４】
2012238567.tif 000006
【図５】
2012238567.tif 000007
【図６】
2012238567.tif 000008
【図７】
2012238567.tif 000009
【図８】
2012238567.tif 000010
【図９】
2012238567.tif 000011